(57)【要約】      （修正有）【課題】中栓隔壁の切断を容易にするとともに、キャップが最下降位置になったときに音を発生させ、さらにその状態を目視できるキャップを提供する。【解決手段】容器Ａに被嵌された中栓Ｂと、中栓の外筒９に螺着されたキャップＣとを具えた液注出容器であって、中栓は、容器口筒部１に嵌着され、下端を封鎖した内筒７と、外周にねじを螺設し、下端にフランジ１９と位置決め部材１８を設けた外筒とを具備し、前記位置決め部材は、外筒から突出する連結部１０と、音出し板を設け、周方向に延びる変形可能な位置決め体２２とを具備しており、キャップは、キャップ本体Ｃ１と上蓋Ｃ２とからなり、キャップ本体は、中栓の外筒に螺合され、下端部に位置決め孔を穿設した側周壁２５と、中央部に注出孔を形成し、その外側の下面に内筒７の開封手段を垂設した上壁８とを具備していることを特徴とする。【選択図】図１
2008087809.tif 000002
【特許請求の範囲】
【請求項１】
容器に被嵌された中栓と、中栓の外筒に螺着されたキャップとを具えた液注出容器であって、
中栓は、容器口筒部に嵌着され、下端を封鎖した内筒と、外周にねじを螺設し、下端にフランジと位置決め部材を設けた外筒とを具備し、
前記位置決め部材は、外筒から突出する連結部と、音出し板を設け、周方向に延びる変形可能な位置決め体とを具備しており、
キャップは、キャップ本体と上蓋とからなり、
キャップ本体は、中栓の外筒に螺合され、下端部に位置決め孔を穿設した側周壁と、中央部に注出孔を形成し、その外側の下面に内筒の開封手段を垂設した上壁とを具備していることを特徴とする注出容器の密閉キャップ。
【請求項２】
キャップの最下降位置で、中栓の位置決め体にキャップの位置決め孔が嵌挿され、音出し板が位置決め孔の縁部に衝突して音を発生するとともに、位置決め体の外表面が、キャップの外側から目視できるようになっていることを特徴とする請求項２記載の注出容器の密閉キャップ。
【発明の詳細な説明】
【技術分野】
【０００１】
本発明は、密閉キャップ、とくに中栓により容器内部を密封した密閉キャップに関するものである。
【背景技術】
【０００２】
容器の口部に、遮蔽板を設けた中栓を被嵌し、中栓の上に、遮蔽板に係合するガイド筒を設けた外キャップを被嵌し、中栓の下端に連設した環状帯部を切り離し、外装キャップを押下げて、遮蔽板に切り込みを入れるとともに、容器の口部外周に被嵌するようにした密閉式キャップは、従来より知られている（例えば、特許文献１参照）。
【特許文献１】特許第３０２４０８９号公報
【発明の開示】
【発明が解決しようとする課題】
【０００３】
しかしながら、上記特許文献１記載の密閉式容器では、外装キャップは、その下端の内周に環状突部（１０ｄ）を設け、押下げ時に、ボトルの環状突部（５）の下側に係合するようにしており、外装キャップの押下げに一定の力が必要となり、押下げ操作が軽快でないという問題があった。
【０００４】
また、双方の環状突部の嵌合が甘いときには、押下げの最下降位置で、外装キャップの環状突部（１０ｄ）が、ボトルの環状突部（５）を乗り越えたときのクリック感が注意しないとわからないという問題があった。
さらに、最下降位置であることを知るためには、双方の環状突部の係合状態をよく調べなくてはならないという問題があった。
【０００５】
本発明は、上記の問題点を解決することを課題とし、キャップをねじキャップとして、中栓の隔壁の切断を容易にするとともに、中栓下端部に音出し機構を設け、キャップ下端部に設けた位置決め孔と係合させ、キャップが最下降位置になったときに、音を発生させるようにし、さらに、その状態を外部から簡単に目視することによって容易にわかるようにしたキャップを提供することを目的とする。
【課題を解決するための手段】
【０００６】
本発明は、上記の課題を解決するため、注出容器の密閉キャップとして、容器に被嵌された中栓と、中栓の外筒に螺着されたキャップとを具えた液注出容器であって、中栓は、容器口筒部に嵌着され、下端を封鎖した内筒と、外周にねじを螺設し、下端にフランジと位置決め部材を設けた外筒とを具備し、前記位置決め部材は、外筒から突出する連結部と、音出し板を設け、周方向に延びる変形可能な位置決め体とを具備しており、キャップは、キャップ本体と上蓋とからなり、キャップ本体は、中栓の外筒に螺合され、下端部に位置決め孔を穿設した側周壁と、中央部に注出孔を形成し、その外側の下面に内筒の開封手段を垂設した上壁とを具備していることを特徴とする構成を採用する。
【０００７】
位置決め部材の実施例として、キャップの最下降位置で、中栓の位置決め体にキャップの位置決め孔が嵌挿され、音出し板が位置決め孔の縁部に衝突して音を発生するとともに、位置決め体の外表面が、キャップの外側から目視できるようになっていることを特徴とする構成を採用する。
【発明の効果】
【０００８】
容器に被嵌する中栓に隔壁を設け、キャップ本体を中栓の外筒に螺合させ、キャップ本体の上壁下面に切断リングを垂設させているので、キャップを廻動することによって容易に中栓の隔壁を切離することができるようになった。
また、中栓外筒の下端に、位置決め部材を設け、キャップ本体の側周壁下端部に位置決め孔を設けているので、キャップを一定の廻転角度で位置決めすることができる。
【０００９】
さらにまた、中栓の位置決め部材の弾性変形可能な位置決め体に音出し板を設けたので、キャップが所定の角度位置になったときに、位置決め体が位置決め孔にほぼ合致して嵌挿し、音を発生させることができるとともに、合致した状態をキャップの外から目視できるようになった。
【発明を実施するための最良の形態】
【００１０】
次に、本発明の密閉キャップの実施例について、図面を参照して説明する。
図１において、Ａは容器、Ｂは中栓、Ｃはキャップ、Ｄはスペーサリングである。
【００１１】
容器Ａは、口筒部１と肩部２、胴部３と底部とから構成されており、口筒部１の外周には、係合突条４が設けられ、その下方には、ネックリング５が設けられ、口筒部１外周とネックリング５の上面との間に位置決めリブ６が設けられている。
【００１２】
中栓Ｂは、内筒７と上壁８、および外筒９とから構成されており、内筒７の下端には、周縁を薄肉の連結部１０とした隔壁１１が連設されている。
内筒７の外周には、容器Ａの口筒部１内周と一定の締め代をもって嵌合する膨出環１２が設けられ、容器Ａ内を密閉するようにしている。
【００１３】
外筒９は、上部筒部１３と、該上部筒部１３の下方に連設された下部筒部１４とから構成されている。
上部筒部１３の外周には、ねじ１５が螺設されており、内周には、容器Ａの口筒部１の係合突条４に係合する係合突条１６が設けられている。
【００１４】
下部筒部１４は、上部筒部１３下端の外周側から垂設され、その上端内側には、容器Ａの位置決めリブ６と係合する廻り止めリブ１７が設けられている。
下部筒部１４の下方外周には、一対、または単数の位置決め部材１８が設けられており、下端には、フランジ１９が突設されている。
【００１５】
図３、図４（ａ）に示すように、位置決め部材１８は、下部筒部１４の所定の位置に削設された垂直面２０の一端から外方に連設された可撓性のある連結部２１と、連結部２１の先端から下部筒部１４の表面と平行に延びる弾性変形可能な位置決め体２２とから構成されている。
位置決め体２２は、後述するキャップＣに設けた位置決め孔２９に係合可能であり、その外表面２３は、キャップＣとは異なる色彩の表示が施され、位置決め体２２の先端２２ａには、内周に沿って音出し板２４が設けられている。
【００１６】
図２、図３に示すように、キャップＣは、キャップ本体Ｃ１と、該キャップ本体Ｃ１にヒンジ機構Ｃ２を介して取着された上蓋Ｃ３とからなっている。
キャップ本体Ｃ１は、側周壁２５と上壁２６とを具えており、側周壁２５は、その内周に中栓Ｂの外筒９外周のねじ１５に螺合するねじ２７が螺設され、下端部の内周は拡径され、外周側に位置決め用リング２８が形成され、所定の位置に、位置決め体２２を嵌入させる一定の角度範囲を有する位置決め孔２９が穿孔されている。
【００１７】
上壁２６の中央部上面には、内容液を注出する注出孔３０が穿孔された注出筒３１が立設されており、その外側の下面には、先端を切込み刃３２とした切断リング３３が垂設されている。
切断リング３３の上部には、一定の締め代をもって中栓Ｂの内筒７内周に嵌合する膨出部３４が設けられている。
【００１８】
ヒンジ機構Ｃ２は、蝶番３５と、図５に示される弾性板３６とからなる三点ヒンジで、その一端は、キャップ本体Ｃ１の側周壁２５の上端に連結されている。
【００１９】
上蓋Ｃ３は、頂壁３７と側周壁３８とからなり、側周壁３８の所定の位置には、ヒンジ機構Ｃ２の他方の端部が連設されて、開閉自在とされている。
頂壁３７の中央には、キャップ本体Ｃ１の上壁２６に設けられた注出孔３０を閉鎖する栓体３９が垂設されている。
【００２０】
スペーサリングＤは、図１に示すように、中栓Ｂのフランジ１９上面に載置され、スペーサリングＤの上面には、キャップ本体Ｃ１の側周壁２５下端が当接されるようになっている。
スペーサリングＤは、実施例では、リング状としているが、Ｃ字形のスペーサ、上下に薄肉の切断ラインを設けたリングであってもよい。
【００２１】
次に、本発明のキャップの使用態様と作用効果について説明する。
本願発明の注出容器は、容器Ａに内容物を収容して中栓Ｂを被嵌し、次いで、スペーサリングＤを中栓Ｂのフランジ１９に載置し、キャップＣを中栓Ｂに螺着することによって得られる。
【００２２】
内容物として、化粧料、食品、薬品などで、外気に触れ、殺菌の混入を完全に防止しなければならないものが、殺菌充填される。
【００２３】
注出容器の使用開始にあたって、本実施例では、まず、キャップＣを廻動させて中栓Ｂから取外し、次いで、スペーサリングＤを取外す。
次に、キャップＣを、再び中栓Ｂに螺合させ下降させると、図３に示すように、上壁２６下面の切断リング３３の切込み刃３２によって隔壁１１の薄肉の連結部１０が切断され、隔壁１１が内筒７より切離される。
その際、切込み刃３２は、廻動しながら下降するので、連結部１０の切断は容易となっている。
【００２４】
さらに下降させると、図４（ｂ）に示すように、位置決め部材１８の位置決め体２２の外表面２３が、位置決め用リング２８の内周面に摺接するようになり、その際、位置決め体２２は、位置決め用リング２８の内周面に押圧された状態になっている。
【００２５】
一定の角度位置になると、位置決め体２２の連結部２１側が位置決め孔２９に挿入し、さらに廻動が進むと、図４（ａ）に示すように、位置決め体２２の先端２２ａが、位置決め孔２９に挿入し、その際、位置決め体２２が復元し、音出し板２４が、位置決め孔２９の縁部２９ａに衝突し、音を発生させる。
そして、位置決め体２２の外表面２３を位置決め孔２９の外から目視することができるので、キャップＣが一定の角度位置に位置決めされていることを、外から簡単に知ることができる。
【００２６】
また、キャップＣを逆方向に廻動させると、位置決め体２２の先端２２ａが、位置決め孔２９の縁部２９ａ端面に衝突してキャップの逆転を阻止するので、位置決め体２２の先端２２ａは逆転止めとして働く。
【００２７】
したがって、本発明では、キャップを廻動させることによって、容易に下降させ、所定の下降位置になると、音を発生させて位置決めを知らせ、さらに、キャップＣの外側より位置決め体２２が位置決め孔２９にあることを目視することができる。
【００２８】
内容物の注出にあたっては、図５に示すように、上蓋Ｃ３を開くと栓体３９が注出孔３０を開放し、内容液を注出することができる。
【００２９】
前記実施形態では、内筒７の下端に隔壁１１を連設したが、アルミシール、フィルムの接着、または栓体の嵌挿等、容器内部を密封できるものであればよい。
また、先端を切込み刃３２とした切断リング３３によって隔壁１１を切離すようにしているが、密封手段が、アルミシール、フィルム、栓体である場合にはその開封手段があればよいので、実施例の切断リングに限定されない。
【産業上の利用可能性】
【００３０】
本発明は、中栓に設けた位置決め体に、キャップの位置決め孔を嵌挿させ、位置決め時に、音を発生させるととも、位置決め体の外表面がキャップの外から容易に目視できるようにしたので、内容物の種類を問わず、ねじキャップの位置決め機構として広く利用できる。
【図面の簡単な説明】
【００３１】
【図１】本発明のキャップの断面立面図である。
【図２】スペーサリングを取外し、キャップを廻動させ、下降途中の断面立面図である。
【図３】キャップが最下降位置にある状態の断面立面図である。
【図４】図３のＡ−Ａ線における説明図で、（ａ）は位置決め時、（ｂ）は位置決め直前の下面図である。
【図５】上蓋の開蓋時の断面立面図である。
【符号の説明】
【００３２】
Ａ          容器
Ｂ          中栓
Ｃ          キャップ
Ｃ１        キャップ本体
Ｃ２        ヒンジ機構
Ｃ３        上蓋
Ｄ          スペーサリング
１          口筒部
２          肩部
３          胴部
４、１６    係合突条
５          ネックリング
６          位置決めリブ
７          内筒
８、２６    上壁
９          外筒
１０        連結部
１１        隔壁
１２        膨出部
１３        上部筒部
１４        下部筒部
１５、２７  ねじ
１７        廻り止めリブ
１８        位置決め部材
１９        フランジ
２０        垂直面
２１        連結部
２２        位置決め体
２２ａ      先端
２３        外表面
２４        音出し板
２５、３８  側周壁
２８        位置決め用リング
２９        位置決め孔
２９ａ      縁部
３０        注出孔
３１        注出筒
３２        切込み刃
３３        切断リング
３４        膨出部
３５        蝶番
３６        弾性板
３７        頂壁
３９        栓体
【図１】
2008087809.tif 000003
【図２】
2008087809.tif 000004
【図３】
2008087809.tif 000005
【図４】
2008087809.tif 000006
【図５】
2008087809.tif 000007